(57)【要約】  トリメチルアミン（ＴＭＡ）を封鎖するように構成された吸収性材料、吸収性材料から作製された吸収性物品、関連する使用の方法、遊離ＴＭＡの低減を測定する方法、および関連する吸収性物品を作製する方法が記述される。【選択図】図１
2021525641.tif 000002
【特許請求の範囲】
【請求項１】
遊離トリメチルアミン（「ＴＭＡ」）を低減する方法であって、ＴＭＡ分子を、セルロース繊維マトリックスおよびセルロース繊維マトリックスに連結されたカルボン酸を含む吸収性材料と接触させることを含み、遊離ＴＭＡの低減は対照との比較である、方法。
【請求項２】
ＴＭＡ分子が液体中にある、請求項１に記載の方法。
【請求項３】
ＴＭＡ分子が月経液中にある、請求項２に記載の方法。
【請求項４】
ＴＭＡ分子が食肉流体中にある、請求項２に記載の方法。
【請求項５】
ＴＭＡ分子が気体中にある、請求項１に記載の方法。
【請求項６】
対照が空の対照である、請求項１に記載の方法。
【請求項７】
対照が吸収性材料の対照である、請求項１に記載の方法。
【請求項８】
セルロース繊維マトリックスが、セルロースパルプ構造を含む、請求項１に記載の方法。
【請求項９】
セルロース繊維マトリックスが、セルロース繊維およびセルロースに基づく繊維からなる群から選択される繊維を含む、請求項１に記載の方法。
【請求項１０】
セルロースに基づく繊維が、ビスコース繊維、モダール繊維、リヨセル繊維、およびそれらの組合せからなる群から選択される、請求項９に記載の方法。
【請求項１１】
カルボン酸が、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、請求項１に記載の方法。
【請求項１２】
カルボン酸が、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、請求項１に記載の方法。
【請求項１３】
カルボン酸が、クエン酸またはその塩である、請求項１に記載の方法。
【請求項１４】
吸収性材料が、約０．０１重量％〜約１０重量％の間のカルボン酸含有量を含む、請求項１から１３のいずれか一項に記載の方法。
【請求項１５】
吸収性材料が０．０１重量％のクエン酸を含み、ＴＭＡが約０．０３４重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスが、約０．５Ｌのヘッドスペースにおいて遊離ＴＭＡを少なくとも約９５ｐｐｍ低減することができる、請求項１に記載の方法。
【請求項１６】
遊離ＴＭＡの低減が、
容器に配置された吸収性材料を、ある量のＴＭＡと接触させること；
容器の気体ヘッドスペースの一部を抜き取ること；
気体ヘッドスペースの抜き取られた一部における遊離ＴＭＡの量を測定すること；および
気体ヘッドスペースにおける遊離ＴＭＡの低減を、対照に比較して決定すること
を含むプロセスによって測定される、請求項１５に記載の方法。
【請求項１７】
吸収性材料が０．０１重量％のクエン酸を含み、ＴＭＡが約０．０２７重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスが、約０．５Ｌのヘッドスペースにおいて、遊離ＴＭＡを少なくとも約９９％低減することができる、請求項１に記載の方法。
【請求項１８】
吸収性材料が０．０１重量％のクエン酸を含み、ＴＭＡが約０．０５重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスが、約０．５Ｌのヘッドスペースにおいて、遊離ＴＭＡを少なくとも約５０％低減することができる、請求項１に記載の方法。
【請求項１９】
遊離ＴＭＡの低減が、
容器に配置された吸収性材料を、ある量のＴＭＡと接触させること；
容器の気体ヘッドスペースの一部を抜き取ること；
気体ヘッドスペースの抜き取られた一部における遊離ＴＭＡの量を測定すること；および
気体ヘッドスペースにおける遊離ＴＭＡの低減を、対照に比較して決定すること
を含むプロセスによって測定される、請求項１７または１８に記載の方法。
【請求項２０】
ＴＭＡ分子を封鎖する方法であって、ＴＭＡ分子を、セルロース繊維マトリックスおよびセルロース繊維マトリックスに連結されたカルボン酸を含む吸収性材料と接触させることを含む、方法。
【請求項２１】
ＴＭＡ分子が液体中にある、請求項２０に記載の方法。
【請求項２２】
ＴＭＡ分子が月経液中にある、請求項２１に記載の方法。
【請求項２３】
ＴＭＡ分子が食肉流体中にある、請求項２１に記載の方法。
【請求項２４】
ＴＭＡ分子が気体中にある、請求項２０に記載の方法。
【請求項２５】
セルロース繊維マトリックスが、セルロースパルプ構造を含む、請求項２０に記載の方法。
【請求項２６】
セルロース繊維マトリックスが、セルロース繊維およびセルロースに基づく繊維からなる群から選択される繊維を含む、請求項２０に記載の方法。
【請求項２７】
セルロースに基づく繊維が、ビスコース繊維、モダール繊維、リヨセル繊維、およびそれらの組合せからなる群から選択される、請求項２６に記載の方法。
【請求項２８】
カルボン酸が、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、請求項２０に記載の方法。
【請求項２９】
カルボン酸が、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、請求項２０に記載の方法。
【請求項３０】
カルボン酸が、クエン酸またはその塩である、請求項２０に記載の方法。
【請求項３１】
吸収性材料が、約０．０１重量％〜約１０重量％の間のカルボン酸含有量を含む、請求項２０から３０のいずれか一項に記載の方法。
【請求項３２】
吸収性材料が０．４５重量％のクエン酸を含み、かつ、ＴＭＡ分子が約０．０５重量％の溶液中に導入される場合、平衡状態で約０．５Ｌのヘッドスペースが、約５０ｐｐｍ未満の遊離ＴＭＡを含有するように、セルロース繊維マトリックスがＴＭＡ分子を封鎖することができる、請求項２０に記載の方法。
【請求項３３】
吸収性材料が０．４５重量％のクエン酸を含み、かつ、ＴＭＡ分子が約０．０３４重量％の溶液中に導入される場合、平衡状態で約０．５Ｌのヘッドスペースが、約１０ｐｐｍ未満の遊離ＴＭＡを含有するように、セルロース繊維マトリックスがＴＭＡ分子を封鎖することができる、請求項２０に記載の方法。
【請求項３４】
吸収性材料が０．４５重量％のクエン酸を含み、かつ、ＴＭＡ分子が約０．０２７重量％の溶液中に導入される場合、平衡状態で約０．５Ｌのヘッドスペースが、約５ｐｐｍ未満の遊離ＴＭＡを含有するように、セルロース繊維マトリックスがＴＭＡ分子を封鎖することができる、請求項２０に記載の方法。
【請求項３５】
遊離ＴＭＡの量が、
容器に配置された吸収性材料を、溶液中のある量のＴＭＡと接触させること；
容器の気体ヘッドスペースの一部を抜き取ること；および
気体ヘッドスペースの抜き取られた一部における遊離ＴＭＡの量を測定すること
を含むプロセスよって測定される、請求項３２から３４のいずれか一項に記載の方法。
【請求項３６】
吸収性材料を含む吸収性物品であって、吸収性材料は繊維マトリックスおよび繊維マトリックスに連結されたカルボン酸を含み、繊維マトリックスはセルロース繊維およびセルロースに基づく繊維からなる群から選択される繊維を含み、かつ、吸収性物品は女性用衛生用品または食肉パッケージングパッドである、吸収性物品。
【請求項３７】
吸収性材料が、カルボン酸に連結された有機シリコーンポリマーバインダーを含まず、かつ、吸収性材料が無機過酸化物を含まない、請求項３６に記載の吸収性物品。
【請求項３８】
セルロースに基づく繊維が、ビスコース繊維、モダール繊維、リヨセル繊維、およびそれらの組合せからなる群から選択される、請求項３６に記載の吸収性物品。
【請求項３９】
流体透過性上面シート、および
流体不透過性裏面シート
をさらに含み、吸収性材料は流体透過性上面シートと流体不透過性裏面シートの間に配置される、請求項３６に記載の吸収性物品。
【請求項４０】
流体透過性上面シート、および
流体不透過性裏面シート
をさらに含み、吸収性材料が流体透過性上面シート内に配置される、請求項３６に記載の吸収性物品。
【請求項４１】
吸収性材料が、吸収性物品の吸収性コアの少なくとも一部を形成する、請求項３６から４０のいずれか一項に記載の吸収性物品。
【請求項４２】
超吸収性ポリマーをさらに含む、請求項３６から４１のいずれか一項に記載の吸収性物品。
【請求項４３】
カルボン酸がポリカルボン酸である、請求項３６から４２のいずれか一項に記載の吸収性物品。
【請求項４４】
ポリカルボン酸が、部分的にまたは完全に中和された塩である、請求項４３に記載の吸収性物品。
【請求項４５】
カルボン酸が、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、請求項３６から４２のいずれか一項に記載の吸収性物品。
【請求項４６】
カルボン酸が、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、請求項３６から４２のいずれか一項に記載の吸収性物品。
【請求項４７】
カルボン酸が、クエン酸またはその塩である、請求項３６から４２のいずれか一項に記載の吸収性物品。
【請求項４８】
吸収性材料が、約０．０１重量％〜約１０重量％の間のカルボン酸含有量を含む、請求項３６から４７のいずれか一項に記載の吸収性物品。
【請求項４９】
吸収性物品が、女性用衛生用品であり、女性用衛生用品が、パンティーライナー、生理用ナプキン、産後吸収性パッド、軽失禁パッド、陰唇間パッド、タンポン、および使い捨て月経保護下着からなる群から選択される、請求項３６から４８のいずれか一項に記載の吸収性物品。
【請求項５０】
女性用衛生用品が外部的に着用されるように構成される、請求項４９に記載の女性用衛生用品。
【請求項５１】
女性用衛生用品が内部的に着用されるようには構成されない、請求項４９に記載の女性用衛生用品。
【請求項５２】
吸収性物品が食肉パッケージングパッドであり、かつ、食肉パッケージングパッドが魚肉パッケージングパッドである、請求項３６から４８のいずれか一項に記載の吸収性物品。
【請求項５３】
吸収性材料によって封鎖された遊離ＴＭＡの低減を測定する方法であって、
容器に配置された吸収性材料を、任意の量のＴＭＡと接触させること；
容器の気体ヘッドスペースの一部を抜き取ること；
気体ヘッドスペースの抜き取られた一部における遊離ＴＭＡの量を測定すること；および
気体ヘッドスペースにおける遊離ＴＭＡの低減を、対照に比較して決定すること
を含む、方法。
【請求項５４】
吸収性材料が、繊維マトリックスおよび繊維マトリックスに連結されたカルボン酸を含む、請求項５３に記載の方法。
【請求項５５】
ヘッドスペースの一部が、遊離ＴＭＡが平衡に到達した後に抜き取られる、請求項５３に記載の方法。
【請求項５６】
対照が空の対照である、請求項５３に記載の方法。
【請求項５７】
対照が吸収性材料の対照である、請求項５３に記載の方法。
【請求項５８】
気体ヘッドスペースの抜き取られた一部における遊離ＴＭＡの量を測定することが、
気体ヘッドスペースの抜き取られた一部を、ＴＭＡと接触した時に色を変化させる比色分析マーカーを装填した固定相上を通過させること；および
気体ヘッドスペースの抜き取られた一部が固定相上を通過するのに応じた、固定相における変色の量を測定すること
を含む、請求項５３に記載の方法。
【請求項５９】
吸収性物品を作製する方法であって、
繊維マトリックスおよび繊維マトリックスに連結されたカルボン酸を含む吸収性材料を調製すること；および
流体透過性上面シートおよび流体不透過性裏面シートを吸収性材料に連結すること
を含む、方法。
【請求項６０】
吸収性材料が、流体透過性上面シートと流体不透過性裏面シートの間に配置される、請求項５９に記載の方法。
【請求項６１】
吸収性材料が、流体透過性上面シート内に配置される、請求項５９に記載の方法。
【請求項６２】
吸収性物品が、女性用衛生用品である、請求項５９に記載の方法。
【請求項６３】
女性用衛生用品が、パンティーライナー、生理用ナプキン、産後吸収性パッド、軽失禁パッド、陰唇間パッド、および使い捨て月経保護下着からなる群から選択される、請求項６２に記載の方法。
【請求項６４】
女性用衛生用品が、外部的に着用されるように構成される、請求項６２または６３に記載の方法。
【請求項６５】
女性用衛生用品が、内部的に着用されるようには構成されない、請求項６２から６４のいずれか一項に記載の方法。
【請求項６６】
吸収性物品が、食肉パッケージングパッドである、請求項５９に記載の方法。
【請求項６７】
吸収性物品が、請求項３６から５２のいずれか一項に記載の吸収性物品である、請求項５９に記載の方法。
【発明の詳細な説明】
【背景技術】
【０００１】
トリメチルアミン（ＴＭＡ）は、低濃度でさえ強い魚肉臭を有する化学物質であり、細菌性膣炎の徴候である魚肉臭の原因である。
月経中および月経後、膣環境のｐＨ増加は一般的である。膣のｐＨは通常４〜４．５であるが、月経中に膣のｐＨは６．６まで増加する可能性がある。ｐＨのこの増加は、嫌気性細菌の異常増殖を助長する恐れがあり、膣のよりアルカリ性環境から放出されるＴＭＡの量の増加を時にもたらす。
【０００２】
女性衛生用品、例えば、生理用ナプキンは、月経液、出血、および尿失禁漏れを吸収するために一般に使用される製品である。これらの製品は、悪臭を放ち得る流体（例えば、ＴＭＡを含むもの）を吸収し、最低限の空気流量で身体の近くに保持され、数時間着用されるので、悪臭がこれらの製品に濃縮される恐れがある。このため、ＴＭＡは、女性用衛生用品にとって、臭気抑制という点で関心の高い化学物質である。
【０００３】
現在、臭気抑制を促進する吸収性衛生用品は、香料、抗菌特性、活性炭、または「臭気ロック」技術を使用してそうしている。しかしながら、従来の吸収性衛生用品は、ＴＭＡと関連する悪臭に、例えば、ＴＭＡの封鎖によって、特に対処しようとしていない。
【０００４】
ＴＭＡは、食肉製品、特に魚肉製品にも関連する。細菌および魚肉酵素は、魚肉に存在するＴＭＡ酸化物をＴＭＡに変換する。食肉パッケージングに含まれる吸収性パッドは、肉汁および食肉製品に関連する他の液体を吸収する。しかしながら、食肉パッケージング用の従来の吸収性パッドは、特に食肉製品に関連したＴＭＡを封鎖したり、さもなければＴＭＡ悪臭を低減したりしない。
【発明の概要】
【発明が解決しようとする課題】
【０００５】
したがって、液体を吸収し、かつＴＭＡを封鎖して、それによってＴＭＡ悪臭を低減する、吸収性製品への長年にわたるニーズが存在する。本開示は、これらのニーズを満たし、さらなる関連する利点を提供することを求めている。
【０００６】
この発明の概要は、発明を実施するための形態において以下でさらに記述されている概念の抜粋を導入するために、簡略化された形態で提供される。この発明の概要は、特許請求された主題の重要な特徴を特定する意図ではなく、特許請求された主題の範囲を決定する支援として使用される意図でもない。
【課題を解決するための手段】
【０００７】
一態様では、本開示は、トリメチルアミン（「ＴＭＡ」）分子を、セルロース繊維マトリックスおよびセルロース繊維マトリックスに連結されたカルボン酸を含む吸収性材料と接触させることを含む、遊離ＴＭＡを低減する方法を提供し、ここで、遊離ＴＭＡの低減は対照との比較である。
【０００８】
別の態様では、本開示は、ＴＭＡ分子を、セルロース繊維マトリックスおよびセルロース繊維マトリックスに連結されたカルボン酸を含む吸収性材料と接触させることを含む、ＴＭＡ分子を封鎖する方法を提供する。
【０００９】
さらに別の態様では、本開示は、吸収性材料を含む吸収性物品を提供し、ここで、吸収性材料は、繊維マトリックスおよび繊維マトリックスに連結されたカルボン酸を含み、繊維マトリックスは、セルロース繊維およびセルロースの戻づく繊維からなる群から選択される繊維を含み、吸収性物品は、女性用衛生用品または食肉パッケージングパッドである。
【００１０】
別の態様では、本開示は、容器に配置された吸収性材料を、ある量のＴＭＡと接触させることと；容器の気体ヘッドスペースの一部を抜き取ることと；気体ヘッドスペースの抜き取られた一部における遊離ＴＭＡの量を測定することと；気体ヘッドスペースにおける遊離ＴＭＡの低減を、対照に比較して決定することと、を含む、吸収性材料によって封鎖された遊離ＴＭＡの低減を測定する方法を提供する。
【００１１】
さらに別の態様では、本開示は、繊維マトリックスおよび繊維マトリックスに連結されたカルボン酸を含む吸収性材料を調製することと；流体透過性上面シートおよび流体不透過性裏面シートを吸収性材料に連結することと、を含む、吸収性物品を作製する方法を提供する。
【００１２】
前述の態様および特許請求された主題の付随する利点の多くは、添付の図と併せて考慮した場合、以下の発明を実施するための形態を参照することによって、同じものがより良好に理解されるので、より容易に認識されるようになるであろう。
【図面の簡単な説明】
【００１３】
【図１】それぞれ異なる濃度のＴＭＡ溶液で侵入された、本開示の実施形態による吸収性材料および対照を保持する容器の気体ヘッドスペースにおける、トリメチルアミン（ＴＭＡ）レベルをグラフを使って説明する図である。
【発明を実施するための形態】
【００１４】
トリメチルアミン（ＴＭＡ）を封鎖するように構成された吸収性材料、それから作製された吸収性物品、関連する使用の方法、遊離ＴＭＡを測定する方法、遊離ＴＭＡの低減を対照に比較して測定する方法、および関連する吸収性物品を作製する方法が本明細書で記述される。
【００１５】
以下で説明される詳細な記述は、添付の図と関連して、開示される主題の様々な実施形態の記述として意図しており、実施形態のみを表す意図ではない。本開示に記述される各実施形態は、単に実施例または例証として提供され、他の実施形態に対して好ましいまたは有利であると解釈すべきではない。本明細書で提供される例示的実施例は、網羅的であったり、または特許請求された主題を開示された正確な形態に制限したりすることを意図していない。
【００１６】
以下の記述では、本開示の１つまたは複数の実施形態の完全な理解を提供するために、多数の具体的な詳細が説明される。しかしながら、具体的な詳細のいくつかまたはすべてがなくとも、本開示の多くの実施形態が実施され得ることは当業者に明白であろう。いくつかの事例では、本開示の様々な態様を不必要に曖昧にしないために、周知の方法・工程は詳細に記述されていない。さらに、本開示の実施形態が、本明細書で記述される特徴のいかなる組合せを用いてもよいことが認識されるであろう。
吸収性材料
一態様では、本開示は、ＴＭＡを封鎖するように構成された吸収性材料を提供する。本明細書で使用する場合、「封鎖」とは、ＴＭＡを吸収、吸着、低減、結合、中和、および／または除去することを意味する。この点で、本明細書で記述される吸収性材料は、ＴＭＡの封鎖によって、例えば、吸収性材料と接する気相および液相から、ＴＭＡを除去するように構成される。本明細書でさらに考察されるように、こうした封鎖は、気相および液相中の遊離ＴＭＡのレベルを低減する。
【００１７】
一実施形態では、本明細書で記述される吸収性材料は、繊維マトリックスおよび繊維マトリックスに連結されたカルボン酸を含む。本明細書でさらに記述されるように、多くのカルボン酸は水溶性であり、したがって、繊維マトリックスにカルボン酸を連結するために、水性処理または他の溶液系処理を適用することができる。ある種の従来の吸収性材料は、臭気抑制のために、非カルボン酸組成物の粉末、例えば、活性化木炭および活性炭を使用する。実際には、こうした粉末の臭気抑制成分は、凝集する傾向があり、しばしば可燃性であり、汚染および吸入の危険性の原因となる空中浮遊性になり得る。
【００１８】
さらに、多くのカルボン酸は、容易に入手可能かつ安価であり、それらを吸収性材料を含む製品に入れることを好適にする。そのうえ、多くのカルボン酸は無色でもあり、したがって、例えば、吸収性材料の繊維マトリックスの色を変更することなく、吸収性材料中に含まれ得る。これは、暗色を有するある種の従来の臭気抑制成分、例えば、いくつかの従来の吸収性物品に使用され、吸収性物品の色を暗くする活性化木炭および活性炭と、対照的である。
【００１９】
一実施形態では、カルボン酸はポリカルボン酸である。一実施形態では、ポリカルボン酸は、部分的にまたは完全に中和された塩である。理論に拘束されるものではなく、図１および実施例１に関して本明細書でさらに考察されるように、カルボン酸のカルボン酸基はＴＭＡの封鎖の助けになると考えられる。したがって、ポリカルボン酸はカルボン酸分子当たり２つまたはそれ以上のカルボン酸基を有するので、各ポリカルボン酸分子は、例えばモノカルボン酸より多くのＴＭＡ分子を封鎖する助けになるように構成されると考えられる。
【００２０】
一実施形態では、カルボン酸は、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される。さらに別の一実施形態では、カルボン酸は、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される。別の実施形態では、カルボン酸は、クエン酸、乳酸、それらの塩、およびそれらの組合せからなる群から選択される。一実施形態では、カルボン酸はクエン酸またはその塩である。
【００２１】
一実施形態では、カルボン酸塩としては、ナトリウム塩、カリウム塩、アンモニウム塩、他の金属塩、およびそれらの組合せからなる群から選択される、カルボン酸塩が挙げられる。
【００２２】
一実施形態では、吸収性材料は、約０．０１ｗｔ％〜約１０ｗｔ％（本明細書では、重量％とも記載される）の間のカルボン酸含有量を含む。一実施形態では、吸収性材料は、約０．０５重量％〜約５重量％の間のカルボン酸含有量を含む。一実施形態では、吸収性材料は、約０．１重量％〜約１重量％の間のカルボン酸含有量を含む。一実施形態では、吸収性材料は、約０．０１重量％、０．０２重量％、０．０３重量％、０．０４重量％、０．０５重量％、０．０６重量％、０．０７重量％、０．０８重量％、または０．０９重量％のカルボン酸含有量を含む。一実施形態では、吸収性材料は、約０．１重量％、０．２重量％、０．３重量％、０．４重量％、０．５重量％、０．６重量％、０．７重量％、０．８重量％、または０．９重量％のカルボン酸含有量を含む。一実施形態では、吸収性材料は、約１重量％、２重量％、３重量％、４重量％、５重量％、６重量％、７重量％、８重量％、または９重量％のカルボン酸含有量を含む。
【００２３】
さらに、本明細書で記述される吸収性材料および吸収性物品はＴＭＡを封鎖するので、ＴＭＡ悪臭を覆う成分（例えば、香料）はＴＭＡ悪臭を低減するために必要ではない。したがって、一実施形態では、本明細書で記述される吸収性材料は香料を含まない。こうした香料を含まない吸収性材料は、例えば、香料への敏感さもしくはアレルギーを有する、または香料を含む製品を使用しないことを好む使用者にとって、有利であり得る。本明細書で記述される吸収性材料および吸収性物品は、悪臭を有する他の塩基性分子と反応しかつ封鎖することができることも、留意すべきである。
【００２４】
一実施形態では、繊維マトリックスはセルロースパルプ構造を含む。一実施形態では、セルロースパルプ構造は、セルロース繊維、セルロースに基づく繊維、またはそれらの組合せのマトリックス、および繊維マトリックスに連結されたカルボン酸を含む。一実施形態では、セルロースに基づく繊維は、ビスコース繊維、モダール繊維、リヨセル繊維、およびそれらの組合せからなる群から選択される。一実施形態では、繊維マトリックスはフラッフパルプを含む。一実施形態では、繊維マトリックスは、南部漂白針葉樹クラフトパルプを含む。
【００２５】
一実施形態では、繊維マトリックスは合成繊維を含む。一実施形態では、繊維マトリックスは不織合成繊維を含む。一実施形態では、繊維マトリックスは、合成繊維と天然繊維の混合物を含む。
【００２６】
本明細書でさらに考察するように、本明細書で記述される吸収性材料は、繊維マトリックスに連結されたカルボン酸を含む。一実施形態では、カルボン酸は、カルボン酸と繊維マトリックスの間に、例えば、バインダー、リンカー、または他の中間の組成物または分子なしで、直接繊維マトリックスに連結される。一実施形態では、繊維マトリックスに連結されたカルボン酸は、繊維マトリックスへ共有結合的に結合したカルボン酸を含む。一実施形態では、繊維マトリックスに連結されたカルボン酸は、繊維マトリックスへ非共有結合的に結合したカルボン酸を含む。こうした非共有結合の連結は、例えば、水素結合、ファンデルワールス力、イオン結合、およびそれらの組合せによって起こり得る。
【００２７】
一実施形態では、本明細書で記述される吸収性材料は、カルボン酸に連結され、カルボン酸を繊維マトリックスに結合するバインダー、例えば、有機シリコーンポリマーバインダーを含まない。理論に拘束されるものではないが、カルボン酸は、ある実施形態では、バインダーを必要とせず、繊維マトリックスそのものと直接連結するように構成されると考えられる。例えば、ある実施形態では、繊維マトリックスは、バインダー、例えば、有機シリコーンポリマーバインダーなしでカルボン酸と連結する水酸基を含む、天然繊維である。
【００２８】
この点で、繊維マトリックスに直接連結したカルボン酸を含む吸収性材料およびそれから作製された吸収性物品は、吸収性材料または吸収性物品から漏れる恐れのある、例えば、粉末（例えば、活性化木炭または活性炭）を収容するために、ポーチまたは他の密閉容器も必要としない。
【００２９】
一実施形態では、カルボン酸は、固体形態、例えば、粉末形態または顆粒状形態で、繊維マトリックスに塗布される。一実施形態では、固体のカルボン酸は、繊維マトリックスに接着剤で連結される。一実施形態では、接着剤は物理的接着剤である。一実施形態では、接着剤は化学的接着剤である。
【００３０】
一実施形態では、固体カルボン酸は、典型的には約２０重量％〜約２５重量％の水である、繊維飽和点（fiber saturation point：「ＦＳＰ」）以上の含水量を有する繊維マトリックスに塗布される。理論に拘束されるものではないが、ある実施形態では、固体カルボン酸は、濡れた繊維マトリックスと接触した場合、少なくとも部分的に溶解し、濡れた繊維マトリックスに連結すると考えられる。したがって、この実施形態における繊維マトリックスにとって、約２０重量％〜約９９．９重量％の水の含水量は、固体カルボン酸を少なくとも部分的に溶解するには十分である。
【００３１】
一実施形態では、本明細書で記述される吸収性材料は、無機過酸化物を含まないかまたは実質的に含まない（この場合、「無機過酸化物を実質的に含まない」とは、公知の検出方法によって限定されるので、０ｗｔ％〜１ｗｔ％の間の無機過酸化物の量を意味することが理解されるであろう）。
【００３２】
ＴＭＡ封鎖作用は、公知の方法（例えば、米国特許第８，００７，６３５号を参照されたく、その全体は参照により本明細書に組み込まれる）によって製造され得る、酸化セルロース繊維を利用することによっても、観察され得る。
【００３３】
上記のように、本開示の吸収性材料は、ＴＭＡを封鎖するように構成される。一実施形態では、本開示の吸収性材料は、２５℃の平衡状態で（この場合、「平衡」とは、試験装置の気体ヘッドスペースに入ったＴＭＡが、定常状態に到達する時点を意味すると理解すべきである）、吸収性材料約１ｇ当たり約６．１５４０９×１０−５ｇ以上のＴＭＡを封鎖するように構成され、ここで、吸収性材料は、本明細書で提供される群のうちの１つから選択されるカルボン酸で、０．０１重量％処理されている。一実施形態では、吸収性材料は、２５℃の平衡状態で、吸収性材料約１ｇ当たり約６．１５４０９×１０−５ｇ以上のＴＭＡを封鎖するように構成され、ここで、吸収性材料は、クエン酸で０．０１重量％処理されている。
【００３４】
本開示の方法に関して本明細書でさらに考察されるように、一実施形態では、本明細書で記述される吸収性材料によって封鎖されたＴＭＡの量は、吸収性材料を保持する閉じた容器の気体ヘッドスペースにおけるＴＭＡの量およびＴＭＡの初期量を測定することによって決定される。一実施形態では、吸収性材料によるＴＭＡの封鎖の際の遊離ＴＭＡの量の決定は、閉じた容器に配置された既知の量の吸収性材料を、初期の既知の量のＴＭＡと接触させることと；吸収性材料を初期量のＴＭＡに曝露させ、気体ヘッドスペース内で平衡に到達させた後に、閉じた容器から気体ヘッドスペースの一部を抜き取ることと；気体ヘッドスペースの抜き取られた一部におけるＴＭＡの気体濃度を（例えば、ｐｐｍで）測定することと、を含む。
【００３５】
一実施形態では、気体ヘッドスペースは、１Ｌ未満の容積を有する。一実施形態では、気体ヘッドスペースは、約０．５Ｌの容積を有する。一実施形態では、容器は可撓性容器である。
【００３６】
本明細書でさらに考察されるように、一実施形態では、吸収性材料によって封鎖されたＴＭＡの量は、対照の吸収性材料、例えば、実施例１に関して本明細書でさらに考察されるように、繊維マトリックスに連結されたカルボン酸を含まない対照の吸収性材料に比較して測定される、または、対照試料は吸収性材料を含まない容器（すなわち、空の対照）を用いて実施され得る。
【００３７】
一実施形態では、本明細書で記述される吸収性材料は、吸収性材料と接する溶液からＴＭＡを封鎖し、かつ吸収性材料と接する気相からＴＭＡを封鎖するように構成される。この点で、吸収性材料は、気体状ＴＭＡおよび溶解したまたは液体ＴＭＡの両方を封鎖することによって、ＴＭＡ悪臭を除去するまたは低減するように構成される。
【００３８】
本明細書でさらに考察されるように、本開示の吸収性材料は、ＴＭＡを封鎖するように構成される。一実施形態では、ＴＭＡ封鎖の能力を定量することによって、試験装置（以下で詳細に記述）の気体ヘッドスペース内の遊離ＴＭＡの気体濃度を、対照（適切な対照の考察に関しては上記参照）に比較して５０％低減するように、吸収性材料は構成される。一実施形態では、吸収性材料は、気体ヘッドスペースに入る（さもなければ、入るであろう）遊離ＴＭＡの量を、対照に比較して７５％低減するように構成される。一実施形態では、吸収性材料は、気体ヘッドスペースに入る（さもなければ、入るであろう）遊離ＴＭＡの量を、対照に比較して８５％低減するように構成される。一実施形態では、吸収性材料は、気体ヘッドスペースに入る（さもなければ、入るであろう）遊離ＴＭＡの量を、対照に比較して９０％低減するように構成される。一実施形態では、吸収性材料は、気体ヘッドスペースに入る（さもなければ、入るであろう）遊離ＴＭＡの量を、対照に比較して９５％低減するように構成される。一実施形態では、吸収性材料は、気体ヘッドスペースに入る（さもなければ、入るであろう）遊離ＴＭＡの量を、対照に比較して９９％低減するように構成される。一実施形態では、吸収性材料は、気体ヘッドスペースに入る（さもなければ、入るであろう）遊離ＴＭＡの量を、対照に比較して実質的に１００％低減するように構成される（この場合、「実質的に１００％」とは、本明細書で記述される検出方法によって限定されるので、９９％〜１００％の間の量を意味すると理解すべきである）。
【００３９】
本明細書でさらに考察されるように、一実施形態では、吸収性材料のセルロース繊維マトリックスは、ＴＭＡの封鎖によって、気体ヘッドスペースから遊離ＴＭＡを低減することができる。一実施形態では、吸収性材料が０．４５重量％のクエン酸を含み、ＴＭＡが約０．０３４重量％の溶液中に導入され、かつ、対照が、いずれの添加カルボン酸も実質的に含まない南部漂白針葉樹クラフトフラッフパルプからなる同量の吸収性材料である場合、吸収性材料のセルロース繊維マトリックスは、約０．５Ｌの気体ヘッドスペースにおいて、遊離ＴＭＡを少なくとも約９５ｐｐｍ低減することができる。この場合、「同量」とは、公知の検出方法によって限定されるので、吸収性材料の質量の９５％〜１０５％の間の質量を有する、対照フラッフパルプの量を意味すると理解すべきである。
【００４０】
一実施形態では、吸収性材料が０．４５重量％のクエン酸を含み、ＴＭＡが約０．０２７重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスは、約０．５Ｌの気体ヘッドスペースにおいて、遊離ＴＭＡを少なくとも約９９％低減することができる。一実施形態では、吸収性材料が０．４５重量％のクエン酸を含み、ＴＭＡが約０．０５重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスは、約０．５Ｌの気体ヘッドスペースにおいて、遊離ＴＭＡを少なくとも約５０％低減することができる。
【００４１】
遊離ＴＭＡの量を低減する方法に関して本明細書でさらに考察されるように、一実施形態では、本開示の吸収性材料によって封鎖された遊離ＴＭＡの低減の測定は、容器に配置された吸収性材料を、ある量のＴＭＡと接触させることと；容器の気体ヘッドスペースの一部を抜き取ることと；気体ヘッドスペースの抜き取られた一部における遊離ＴＭＡの量を測定することと；気体ヘッドスペースにおける遊離ＴＭＡの低減を、対照に比較して決定することと、を含む。
【００４２】
一実施形態では、本明細書で記述される吸収性材料は、活性化木炭、活性炭、香料、ゼオライト、およびそれらの組合せからなる群から選択される添加物を、場合によりさらに含んでもよい。本開示の吸収性材料は、こうした添加物なしでＴＭＡを封鎖するように構成されている一方で、ある実施形態では、吸収性材料は、例えば、非選択的にある種の他の悪臭を吸収もしくは覆うように、または吸収性材料の他のＴＭＡ悪臭抑制成分を補うように構成された、これらに限定はされないが、活性化木炭、活性炭、ゼオライト、または香料を含む材料をさらに含む。
【００４３】
一実施形態では、吸収性材料は、流体の吸収を助けるために、超吸収性ポリマーをさらに含む。
吸収性物品
別の態様では、本開示は、本開示の吸収性材料を含む吸収性物品を提供する。本明細書でさらに考察されるように、女性用衛生用品および食肉パッケージング製品における、特にＴＭＡ悪臭に関連した、臭気の抑制および防止が関心事である。本開示の吸収性材料は、ＴＭＡを封鎖するように構成されているので、それらは、女性用衛生用品および食肉パッケージング製品における用途に特に好適である。
【００４４】
したがって、一実施形態では、吸収性物品は、繊維マトリックスおよび繊維マトリックスに連結されたカルボン酸を含む。一実施形態では、繊維マトリックスは、セルロース繊維、セルロースに基づく繊維、およびそれらの組合せからなる群から選択される繊維を含む。
【００４５】
一実施形態では、吸収性物品は、流体透過性上面シートを含む。流体透過性上面シートは、例えば、着用者から液体を吸収性材料に移動させるように構成された、高度流体透過性材料を含む。一実施形態では、流体透過性上面シートは、親水性織布、親水性不織布、エアレイドシート、湿式シート、開口を含む膜、連続気泡フォーム、および詰綿（batting）からなる群から選択される材料を含む。
【００４６】
一実施形態では、吸収性物品は、流体不透過性裏面シートを含む。流体不透過性裏面シートは、液体が、吸収性材料から流体不透過性シートを通って、例えば着用者の衣類に移動することを防ぐように構成される。
【００４７】
一実施形態では、吸収性材料は、吸収性物品の吸収性コアの少なくとも一部を形成する。一実施形態では、吸収性材料は、流体透過性上面シートと流体不透過性裏面シートの間に配置される。一実施形態では、流体透過性上面シートおよび流体不透過性裏面シートは、吸収性材料を囲んで好適に密封される。一実施形態では、吸収性材料は流体透過性上面シート内に配置される。
【００４８】
一実施形態では、吸収性物品は女性用衛生用品である。本明細書でさらに記述されるように、一実施形態では、本明細書で記述される吸収性材料は、繊維マトリックスおよび繊維マトリックスに連結されたカルボン酸を含む。この点で、理論に拘束されるものではないが、本明細書でさらに考察されるように、本開示の吸収性材料を含む吸収性物品は、膣液に関連するＴＭＡ悪臭を、少なくとも２つの方法で低減すると考えられる：（１）カルボン酸が、膣のｐＨを低減し、それによって嫌気性細菌の増殖を阻害する、および、（２）カルボン酸がＴＭＡ分子を封鎖し、それによって遊離ＴＭＡを低減する。
【００４９】
一実施形態では、女性用衛生用品は、パンティーライナー、生理用ナプキン、産後吸収性パッド、軽失禁パッド、陰唇間パッド、使い捨て月経保護下着、およびタンポンからなる群から選択される。一実施形態では、女性用衛生用品は、パンティーライナー、生理用ナプキン、産後吸収性パッド、軽失禁パッド、陰唇間パッド、および使い捨て月経保護下着からなる群から選択される。いくつかの実施形態では、本開示の吸収性物品は、タンポンの形態ではない。女性用衛生用品は、公知の方法（例えば、その全体が参照により本明細書に組み込まれる米国特許第９，７１７，８１７号、およびその中で言及される特許を参照されたい）によって製造され得る。
【００５０】
一実施形態では、女性用衛生用品は、外部的に着用されるように構成される。本明細書で使用する場合、外部的に着用されるように構成された女性用衛生用品は、膣の外部に着用されるように構成される。一実施形態では、女性用衛生用品は、内部的に着用されるようには構成されない。本明細書で使用する場合、内部的に着用されるように構成された女性用衛生用品は、少なくとも部分的に膣の内部に着用されるように構成された、女性用衛生用品である。
【００５１】
一実施形態では、女性用衛生用品における吸収性材料は、繊維マトリックスおよび繊維マトリックスに連結されたカルボン酸を含む吸収性材料を含み、ここで、吸収性材料は、約０．０１ｗｔ％〜約１０ｗｔ％の間のカルボン酸含有量を含む。
【００５２】
一実施形態では、吸収性物品は、食肉パッケージングパッドである。食肉パッケージングパッドは、当該技術分野で公知のものを含んでもよく、公知の方法（例えば、米国特許第５，９０８，６４９号および米国特許第７，６５５，８２９号を参照されたく、それらの全体は参照により本明細書に組み込まれる）によって製造され得る。本明細書でさらに記述されるように、ＴＭＡ悪臭は、食肉製品、例えば、魚肉製品から発散し、食肉パッケージング製品においてＴＭＡを封鎖する必要がある。本明細書で記述される吸収性材料は、ＴＭＡを封鎖するように構成されるので、それらは、食肉パッケージング製品で使用するのに特に好適である。一実施形態では、食肉パッケージング製品は、食肉パッケージングパッドである。一実施形態では、食肉パッケージングパッドは、魚肉パッケージングパッドである。一実施形態では、本開示の吸収性材料を含む食肉パッケージングパッドは、肉汁、例えば、魚肉汁、および他の液体を吸収し、ＴＭＡを封鎖するように構成される。
【００５３】
一実施形態では、食肉パッケージングパッドにおける吸収性材料は、繊維マトリックスおよび繊維マトリックスに連結されたカルボン酸を含み、ここで、吸収性材料は約０．０１ｗｔ％〜約１０ｗｔ％の間のカルボン酸含有量を含む。一実施形態では、食肉パッケージングパッドは、流体の吸収を助けるために超吸収性ポリマーを含む。一実施形態では、超吸収性ポリマーは吸収性材料内に配置される。
遊離ＴＭＡを低減する方法
本明細書でさらに記述されるように、例えば、膣液または肉汁からのＴＭＡ分子、およびそれから生じるＴＭＡ悪臭は、本開示の吸収性材料または吸収性物品によるＴＭＡの封鎖を通して、低減され得る。吸収性材料またはそれから作製された吸収性物品中へＴＭＡを封鎖することによって、例えば、遊離ＴＭＡが人間の鼻によって臭いをかぐことができないレベルで存在する、または大幅に低減されたレベルで人間の鼻によって臭いをかぐことができるように、ＴＭＡが封鎖されない類似のシナリオに比較して、ＴＭＡ悪臭は低減される。
【００５４】
したがって、別の態様では、本開示は、遊離ＴＭＡを低減する方法を提供する。本明細書で使用する場合、「遊離ＴＭＡ」は、気体ヘッドスペースにある、または気体ヘッドスペースに平衡化するであろう、測定され得るかつ／または人間の鼻によって臭いをかぐことができる量のＴＭＡを意味する。遊離ＴＭＡは、例えば、吸収性材料または吸収性物品によって封鎖されるＴＭＡ分子とは対照的であり、したがって、測定または人間の鼻による検出に利用できない。
【００５５】
一実施形態では、遊離ＴＭＡのレベルを低減する方法は、ＴＭＡ分子を、セルロース繊維マトリックスおよびセルロース繊維マトリックスに連結されたカルボン酸を含む吸収性材料と接触させることを含む。一実施形態では、この方法はＴＭＡ分子を封鎖することをさらに含む。
【００５６】
本明細書でさらに記述されるように、本開示の吸収性材料およびそれから作製された吸収性物品は、液相および／または気相のいずれかまたは両方からＴＭＡを封鎖するように構成される。したがって、一実施形態では、ＴＭＡを吸収性材料または吸収性物品と接触させることは、溶液相中のＴＭＡ、例えば、膣液、月経分泌物、または肉汁に溶解したＴＭＡを接触させることを含む。一実施形態では、ＴＭＡ分子は液体中にある。一実施形態では、液体ＴＭＡは、溶液中または懸濁液中に溶解したＴＭＡ分子である。一実施形態では、液体ＴＭＡは純粋なＴＭＡ液体である。一実施形態では、ＴＭＡを吸収性材料または吸収性物品と接触させることは、ＴＭＡを含有する月経液を吸収性材料または吸収性物品と接触させることを含む。一実施形態では、ＴＭＡを吸収性材料または吸収性物品と接触させることは、食肉流体、例えば、ＴＭＡを含有する魚肉流体を、吸収性材料または吸収性物品と接触させることを含む。
【００５７】
同様に、一実施形態では、ＴＭＡを吸収性材料または吸収性物品と接触させることは、気相中のＴＭＡ、例えば、膣液、月経分泌物、または肉汁からのＴＭＡ揮発を接触させることを含む。
【００５８】
一実施形態では、吸収性材料は、本明細書で記述されるいずれかの吸収性材料である。一実施形態では、吸収性物品は、本明細書で記述されるいずれかの吸収性物品である。一実施形態では、繊維マトリックスは、セルロース繊維マトリックスである（以下を参照）。
【００５９】
一実施形態では、カルボン酸は、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される。一実施形態では、カルボン酸は、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される。一実施形態では、カルボン酸は、クエン酸またはその塩である。
【００６０】
一実施形態では、吸収性材料は、約０．０１重量％〜約１０重量％の間のカルボン酸含有量を含む。一実施形態では、吸収性材料は、約０．０５重量％〜約５重量％の間のカルボン酸含有量を含む。一実施形態では、吸収性材料は、約０．１重量％〜約１重量％の間のカルボン酸含有量を含む。一実施形態では、吸収性材料は、約０．０１重量％、０．０２重量％、０．０３重量％、０．０４重量％、０．０５重量％、０．０６重量％、０．０７重量％、０．０８重量％、または０．０９重量％のカルボン酸含有量を含む。一実施形態では、吸収性材料は、約０．１重量％、０．２重量％、０．３重量％、０．４重量％、０．５重量％、０．６重量％、０．７重量％、０．８重量％、または０．９重量％のカルボン酸含有量を含む。一実施形態では、吸収性材料は、約１重量％、２重量％、３重量％、４重量％、５重量％、６重量％、７重量％、８重量％、または９重量％のカルボン酸含有量を含む。
【００６１】
一実施形態では、繊維マトリックスは、セルロースパルプ構造を含む。一実施形態では、セルロースパルプ構造は、セルロース繊維、セルロースに基づく繊維、またはそれらの組合せのマトリックス、および繊維マトリックスに連結されたカルボン酸を含む。一実施形態では、セルロースに基づく繊維は、ビスコース繊維、モダール繊維、リヨセル繊維、およびそれらの組合せからなる群から選択される。一実施形態では、繊維マトリックスは、フラッフパルプを含む。一実施形態では、繊維マトリックスは、南部漂白針葉樹クラフトパルプを含む。
【００６２】
一実施形態では、繊維マトリックスは、合成繊維を含む。一実施形態では、繊維マトリックスは、不織合成繊維を含む。一実施形態では、繊維マトリックスは、合成繊維と天然繊維の混合物を含む。
【００６３】
一実施形態では、ＴＭＡを、吸収性材料またはそれから作製された吸収性物品と接触させることは、気体状化合物として吸収性材料または吸収性物品から出る、またはその中に再入するために利用できる遊離ＴＭＡの少なくとも５０％を低減する。一実施形態では、ＴＭＡを、吸収性材料またはそれから作製された吸収性物品と接触させることは、気体状化合物として吸収性材料または吸収性物品から出る、またはその中に再入するために利用できる遊離ＴＭＡの少なくとも７５％を低減する。一実施形態では、ＴＭＡを、吸収性材料またはそれから作製された吸収性物品と接触させることは、吸収性材料または吸収性物品から出る、またはその中に再入するために利用できる遊離ＴＭＡの少なくとも８５％を低減する。一実施形態では、ＴＭＡを、吸収性材料またはそれから作製された吸収性物品と接触させることは、吸収性材料または吸収性物品から出る、またはその中に再入するために利用できる遊離ＴＭＡの少なくとも９５％を低減する。一実施形態では、ＴＭＡを、吸収性材料またはそれから作製された吸収性物品と接触させることは、吸収性材料または吸収性物品から出る、またはその中に再入するために利用できる遊離ＴＭＡの少なくとも９９％を低減する。
遊離ＴＭＡの低減を測定する方法
別の態様では、本開示は、吸収性材料、例えば、本開示の吸収性材料またはそれから作製された吸収性物品によって封鎖された、遊離ＴＭＡの低減を測定する方法を提供する。一実施形態では、吸収性材料は閉じた容器に配置され、ある量のＴＭＡと接触する。吸収性材料がＴＭＡの量の少なくとも一部を封鎖する機会を有した後、例えば、閉じた容器の気体ヘッドスペースと吸収性材料の間でＴＭＡの量が平衡に到達した後、閉じた容器から気体ヘッドスペースの一部が抜き取られる。一実施形態では、気体ヘッドスペースの一部が閉じた容器から抜き取られる前に、ＴＭＡの量は、平衡に到達するのに十分な時間、吸収性材料に接触させることができ、それによって、初期量のＴＭＡの少なくとも一部が、吸収性材料内に封鎖されるのに十分な時間も提供する。当業者は、平衡を監視し確認するために、平衡曲線を作成する方法または他の適切な手法を容易に知るであろう。
【００６４】
一実施形態では、閉じた容器は、気体ヘッドスペースの一部が抜き取られるのに応じて、少なくとも部分的につぶれる（collapse）ように構成された可撓性容器である。この点で、気体ヘッドスペースの一部を閉じた容器から抜き取ることは、使用者にとってより容易である。
【００６５】
気体ヘッドスペースの抜き取られた一部を分析して、ヘッドスペースに存在する遊離ＴＭＡの気体濃度を決定する。一実施形態では、抜き取られた一部における遊離ＴＭＡの量を測定することは、気体ヘッドスペースの抜き取られた一部を、ＴＭＡと接触すると色を変化させる比色分析マーカーを装填した固定相上に通過させること；および、気体ヘッドスペースの抜き取られた一部を固定相上へ通過させるのに応じて、固定相における変色の量を測定すること、を含む。一実施形態では、気体ヘッドスペースの抜き取られた一部を分析して、遊離ＴＭＡの気体濃度を測定することは、比色分析ガス検出管、例えば、Ｓｅｎｓｉｄｙｎｅ（登録商標）ガス検出管システムを使用することを含む。比色分析検出方法が記述されている一方で、ＴＭＡ検出の他の方法、例えば、限定されるものではないが、ガスクロマトグラフィーを本開示の方法と矛盾せず使用することができることが理解されるであろう。
【００６６】
遊離ＴＭＡの低減は、対照に比較して測定される。一実施形態では、対照は空の対照であり、ここで、空の対照は、ＴＭＡ分子を吸収性材料と接触させることを含まない対照を含む。一実施形態では、対照は吸収性材料の対照であり、ここで、吸収性材料の対照は、繊維マトリックスに連結された添加カルボン酸を、実質的に有さないまたは有さない吸収性材料である（この場合、「添加カルボン酸が実質的にない」または「添加カルボン酸を実質的に含まない」とは、添加カルボン酸はない、または公知の検出方法によって限定されるように、０ｗｔ％〜１ｗｔ％の間の添加カルボン酸の量を意味すると理解すべきである）。本明細書で使用する場合、「添加カルボン酸」は、未処理の吸収性材料に存在するいずれかのカルボン酸に加えて、加工または製造中に吸収性材料に添加される、さもなければ連結されるカルボン酸の量を意味すると理解すべきである。一実施形態では、対照の吸収性材料は、フラッフパルプ、例えば、カルボン酸で処理されていない、さもなければカルボン酸に連結されていない南部漂白針葉樹クラフトパルプを含む。この点で、使用者は、本明細書で記述される吸収性材料の繊維マトリックスに連結されたカルボン酸による、ＴＭＡ低減の量を、選択される対照に比較して決定することができる。
【００６７】
一実施形態では、吸収性材料によって封鎖されずに気体ヘッドスペース内で平衡させるＴＭＡの量（ＴＭＡｇ）を、対照の気体ヘッドスペース内で平衡させる対照実験における封鎖されないＴＭＡの量（ＴＭＡｃ）と比較する。吸収性材料の上のヘッドスペースにおいて測定された遊離ＴＭＡの気体濃度の低減は、対照のそれと比較して、遊離ＴＭＡのパーセント低減（％ＴＭＡｒｅｄ）として表現され得る。このパーセント低減は、以下の式を用いて計算することができる。
【００６８】
【数１】
2021525641.tif 000003
【００６９】
閉じた容器の片側または他の部分に存在する、ＴＭＡを含有する流体、例えば、吸収性材料または吸収性物品上に侵入するために使用される流体は、ＴＭＡ低減の結果を歪める恐れがあることに留意すべきである。吸収性材料または吸収性物品と接触しないこうしたＴＭＡ含有流体は、ＴＭＡ含有溶液から閉じた容器の気体ヘッドスペース中への、ＴＭＡの増加した揮発をもたらす可能性がある。このように増加したＴＭＡ揮発は、ＴＭＡ含有溶液が吸収性材料または吸収性物品上に直接侵入する場合より、高い相対的気体状ＴＭＡ濃度をもたらし、吸収性材料または吸収性物品がＴＭＡを封鎖する能力（またはその欠如）を不正確に示す恐れがある。
ＴＭＡを封鎖する方法
本明細書でさらに記述されるように、吸収性材料およびそれから作製された吸収性物品は、ＴＭＡを封鎖することができる。したがって、別の態様では、本開示は、ＴＭＡ分子を封鎖する方法を提供する。一実施形態では、ＴＭＡを封鎖する方法は、ＴＭＡ分子を、繊維マトリックスおよび繊維マトリックスに連結されたカルボン酸を含む吸収性材料、またはそれから作製された吸収性物品と接触させることを含む。一実施形態では、この方法は、吸収性材料またはそれから作製された吸収性物品中のＴＭＡ分子を封鎖することをさらに含む。
【００７０】
一実施形態では、吸収性材料は、本明細書で記述されるいずれかの吸収性材料である。一実施形態では、吸収性物品は本明細書で記述されるいずれかの吸収性物品である。一実施形態では、繊維マトリックスはセルロース繊維マトリックスである。一実施形態では、セルロース繊維マトリックスはセルロースパルプ構造を含む。一実施形態では、セルロース繊維マトリックスは、セルロース繊維およびセルロースに基づく繊維からなる群から選択される繊維を含む。一実施形態では、セルロースに基づく繊維は、ビスコース繊維、モダール繊維、リヨセル繊維、およびそれらの組合せからなる群から選択される。
【００７１】
一実施形態では、カルボン酸は、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される。一実施形態では、カルボン酸は、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される。一実施形態では、カルボン酸はクエン酸またはその塩である。
【００７２】
一実施形態では、吸収性材料は、約０．０１重量％〜約１０重量％の間のカルボン酸含有量を含む。一実施形態では、吸収性材料は、約０．０５重量％〜約５重量％の間のカルボン酸含有量を含む。一実施形態では、吸収性材料は、約０．１重量％〜約１重量％の間のカルボン酸含有量を含む。一実施形態では、吸収性材料は、約０．０１重量％、０．０２重量％、０．０３重量％、０．０４重量％、０．０５重量％、０．０６重量％、０．０７重量％、０．０８重量％、または０．０９重量％のカルボン酸含有量を含む。一実施形態では、吸収性材料は、約０．１重量％、０．２重量％、０．３重量％、０．４重量％、０．５重量％、０．６重量％、０．７重量％、０．８重量％、または０．９重量％のカルボン酸含有量を含む。一実施形態では、吸収性材料は、約１重量％、２重量％、３重量％、４重量％、５重量％、６重量％、７重量％、８重量％、または９重量％のカルボン酸含有量を含む。
【００７３】
一実施形態では、ＴＭＡ分子を吸収性材料または吸収性物品と接触させることは、液体、例えば、ＴＭＡを含有する月経液を、吸収性材料またはそれから作製された吸収性物品と接触させることを含む。一実施形態では、ＴＭＡ分子を吸収性材料と接触させることは、ＴＭＡ分子を含有する食肉流体を、吸収性材料またはそれから作製された吸収性物品と接触させることを含む。一実施形態では、ＴＭＡ分子は気相にあり、吸収性材料または吸収性物品と接触する。
【００７４】
一実施形態では、吸収性材料が０．４５重量％のクエン酸を含む場合、本開示の吸収性材料およびそれから作製された吸収性物品の繊維マトリックスは、平衡状態で約０．５Ｌの気体ヘッドスペースが、約１ｐｐｍ、２ｐｐｍ、３ｐｐｍ、４ｐｐｍ、５ｐｐｍ、１０ｐｐｍ、２０ｐｐｍ、３０ｐｐｍ、４０ｐｐｍ、または５０ｐｐｍ未満の遊離ＴＭＡを含有するように、ＴＭＡ分子を封鎖することができる。一実施形態では、吸収性材料が０．０１重量％のクエン酸を含み、かつ、ＴＭＡ分子が約０．０００５重量％〜約０．０３４重量％の間の溶液中に導入される場合、本開示の吸収性材料およびそれから作製された吸収性物品の繊維マトリックスは、平衡状態で約０．５Ｌの気体ヘッドスペースが、平衡状態で約５０ｐｐｍ未満の遊離ＴＭＡを含有するように、ＴＭＡ分子を封鎖することができる。一実施形態では、吸収性材料が０．０１重量％のクエン酸を含み、かつ、ＴＭＡ分子が約０．０００５重量％、０．００１重量％、０．００５重量％、０．０１重量％、０．０１５重量％、０．０２重量％、０．０２５重量％、０．０２７重量％、０．０３重量％、０．０３４重量％、または０．０３５重量％の溶液中に導入される場合、本開示の吸収性材料およびそれから作製された吸収性物品の繊維マトリックスは、平衡状態で約０．５Ｌの気体ヘッドスペースが、約５０ｐｐｍ未満の遊離ＴＭＡを含有するようにＴＭＡ分子を封鎖することができる。一実施形態では、吸収性材料が０．０１重量％のクエン酸を含み、かつ、ＴＭＡ分子が約０．０３４重量％の溶液中に導入される場合、セルロース繊維マトリックスは、平衡状態で約０．５Ｌの気体ヘッドスペースが、約１０ｐｐｍ未満の遊離ＴＭＡを含有するように、ＴＭＡ分子を封鎖することができる。一実施形態では、吸収性材料が０．０１重量％のクエン酸を含み、かつ、ＴＭＡ分子が約０．０２７重量％の溶液中に導入される場合、セルロース繊維マトリックスは、平衡状態で約０．５Ｌの気体ヘッドスペースが、約５ｐｐｍ未満の遊離ＴＭＡを含有するように、ＴＭＡ分子を封鎖することができる。
【００７５】
一実施形態では、吸収性材料が０．０１重量％のクエン酸を含み、ＴＭＡが約０．０３４重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスは、約０．５Ｌの気体ヘッドスペースにおいて、遊離ＴＭＡを少なくとも約９５ｐｐｍ低減することができる。
【００７６】
一実施形態では、吸収性材料が０．０１重量％のクエン酸を含み、ＴＭＡが約０．０２７重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスは、約０．５Ｌの気体ヘッドスペースにおいて、遊離ＴＭＡを少なくとも約９９％低減することができる。一実施形態では、吸収性材料が０．０１重量％のクエン酸を含み、ＴＭＡが約０．０５重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスは、約０．５Ｌの気体ヘッドスペースにおいて、遊離ＴＭＡを少なくとも約５０％低減することができる。
【００７７】
一実施形態では、ＴＭＡが本明細書で記述される吸収性材料によって封鎖された後の遊離ＴＭＡの量の決定は、容器に配置された吸収性材料を、溶液中の初期量のＴＭＡと接触させることと；容器の気体ヘッドスペースの一部を抜き取ることと；気体ヘッドスペースの抜き取られた一部における遊離ＴＭＡの量を、例えばｐｐｍ単位で測定することと、を含む。測定することは、本明細書で記述される固相比色分析ガス検出管、ガスクロマトグラフィー等を含む、いずれかの好適な方式で実施することができる。理論に拘束されるものではないが、吸収性材料に接する溶液中のＴＭＡは、カルボン酸と反応してＲＣＯＯ−Ｎ＋（Ｍｅ）３の塩になり（reduce）、したがって揮発に利用できるＴＭＡを減少させることによってＴＭＡを封鎖し、実験容器装置の気体ヘッドスペース中へ平衡し、それによってＴＭＡ悪臭を除去すると考えられる。
吸収性物品を作製する方法
本明細書でさらに記述されるように、本開示の吸収性材料およびそれから作製された吸収性物品は、ＴＭＡを封鎖するそれらの能力のために、吸収性物品、例えば、女性用衛生用品の例えば、吸収性コアまたは他の吸収性部分、として好適である。したがって、別の態様では、本開示は、本開示の吸収性材料を含む吸収性物品、例えば、女性用衛生用品および食肉パッケージングパッドを作製する方法を提供する。一実施形態では、この方法は、繊維マトリックスおよび繊維マトリックスに連結されたカルボン酸を含む吸収性材料を調製することと；流体透過性上面シートおよび流体不透過性裏面シートを吸収性材料に連結することと、含む。一実施形態では、吸収性材料を調製することは、セルロースパルプスラリーからセルロースパルプシートを形成し、セルロースパルプシートからセルロース繊維のマトリックスを形成することによって、セルロースパルプ構造を形成することを含む。一実施形態では、パルプシートに水性形態の酸を適用することによって、カルボン酸は添加される。本明細書で同様にさらに記述されるように、一実施形態では、カルボン酸は固体形態で、例えば、バインダーまたは接着剤とともに添加される。
【００７８】
一実施形態では、吸収性材料は、繊維マトリックスおよび繊維マトリックスに連結されたカルボン酸を含む、本明細書で記述されるいずれかの吸収性材料である。一実施形態では、流体透過性上面シートは、本明細書で記述されるいずれかの流体透過性上面シートである。一実施形態では、流体不透過性裏面シートは、本明細書で記述されるいずれかの流体不透過性裏面シートである。
【００７９】
一実施形態では、流体透過性上面シートおよび流体不透過性裏面シートは、縫製、接着剤による連結、ヒートシーリング、超音波溶接、およびそれらの組合せからなる群から選択される連結方法によって、吸収性材料に連結される。
【００８０】
一実施形態では、流体透過性上面シートおよび流体不透過性裏面シートは、吸収性材料のまわりに連結され、吸収性材料は、流体透過性上面シートと流体不透過性裏面シートの間に配置される。この点で、吸収性材料は、吸収性物品の吸収性コアの少なくとも一部を形成する。一実施形態では、吸収性材料は、流体透過性上面シート内に配置される。
【００８１】
一実施形態では、女性用衛生用品は、パンティーライナー、生理用ナプキン、産後吸収性パッド、軽失禁パッド、陰唇間パッド、使い捨て月経保護下着、およびタンポンからなる群から選択される。一実施形態では、女性用衛生用品は、パンティーライナー、生理用ナプキン、産後吸収性パッド、軽失禁パッド、陰唇間パッド、および使い捨て月経保護下着からなる群から選択される。いくつかの実施形態では、本開示の吸収性物品は、タンポンの形態をしていない。女性用衛生用品は、公知の方法により製造され得る（例えば、米国特許第９，７１７，８１７号を参照されたく、その全体は参照により本明細書に組み込まれる）。
【００８２】
一実施形態では、女性用衛生用品は、外部的に着用されるように構成される。一実施形態では、女性用衛生用品は、内部的に着用されるようには構成されない。
一実施形態では、吸収性物品は、食肉パッケージングパッドである。一実施形態では、食肉パッケージングパッドは、魚肉パッケージングパッドである。食肉パッケージングパッドは、当該技術分野で公知のものを含んでもよく、公知の方法によって製造され得る（米国特許第５，９０８，６４９号および米国特許第７，６５５，８２９号を参照されたく、それらの全体は参照により本明細書に組み込まれる）。
【実施例】
【００８３】
実施例１：クエン酸で処理されたフラッフパルプを用いるＴＭＡの封鎖
クエン酸（０．４５ｗｔ％）で処理されたフラッフパルプおよび未処理のフラッフパルプを繊維に分解し、パッドに形成し、密閉容器に配置して、ＴＭＡ溶液で侵入した。未処理のフラッフパルプは、クエン酸で処理されたフラッフパルプと同じ粉砕器からであるが、緩衝処理（buffering treatment）を含んでいない。
【００８４】
フラッフパルプシートを繊維に分解し、次に、フラッフパルプを、０．９４±０．０２ｇの平均重量で直径５．０８ｃｍ（２インチ）のパッドに形成した。これらのパッドを、１３．７９ＭＰａ（２０００ｐｓｉ）の圧力のプレスで圧縮した。
【００８５】
試験容器を５００ｍＬの水筒（water bottle）から組み立て、水筒はそれらの圧縮性により選択した。１６ゲージの針を水筒のプラスチック蓋に通し、所定位置に接着し、シリコーンコーキングで密閉した。ゴム管を針の柄（hilt）のまわりに配置し、柄と測定装置の間の気密シールを可能にした。
【００８６】
圧縮したフラッフの球状物（round）を、試験容器へ導入し、１５ｇの溶液で侵入し、密封し、次に、２時間後に、上記のヘッドスペースをＴＭＡについて試験した。ＴＭＡ溶液を、４つの濃度：０．０００５重量％、０．０２７重量％、０．０３４重量％、および０．０５重量％で試験した。細菌性膣炎に関係していない通常の膣液は、文献値によれば、ＴＭＡレベル０．０００５重量％を有する。
【００８７】
【表１】
2021525641.tif 000004
【００８８】
容器のヘッドスペースにおけるＴＭＡの濃度を、対照および試験パルプの両方の上で、侵入の２時間後に試験した。１０５ＳＥモデルＳｅｎｓｉｄｙｎｅ（登録商標）管を使用した。これらの管はアンモニアで使用するために分類されている（label）が、ＴＭＡで使用することも可能である。実際のＴＭＡ濃度は、Ｓｅｎｓｉｄｙｎｅ（登録商標）の読み取り値に０．５の換算係数を乗じることによって見出される。
【００８９】
全部で２５個の試料：１１個の未処理対照フラッフパルプ試料、および１４個のクエン酸で処理された試験フラッフパルプ試料を試験した。濃度当たり最低２個の試料を平均した。最初の２個の結果が変動した場合、濃度当たり３個またはそれ以上の試料を試験した。容器の気体ヘッドスペースにおけるＴＭＡを測定する前に、平衡化を確実にするために、２５個の試料を、２５℃でおよそ２時間、ＴＭＡ侵入と相互作用させた。
【００９０】
パッドの上のヘッドスペースにおけるＴＭＡ濃度を、クエン酸で処理された試験フラッフパルプおよび未処理の対照フラッフパルプについて比較した。表２および図１に要約したように、クエン酸で処理されたフラッフパルプは、さまざまな量の、ＴＭＡのヘッドスペース濃度を減少させることが見出された。示されたように、クエン酸処理フラッフは、健康な膣液における文献濃度である０．０００５重量％、およびこの濃度の６０倍である０．０２７重量％で、ＴＭＡ揮発を排除することが見出された。文献値の７０倍である０．０３４重量％では、クエン酸処理フラッフは、ヘッドスペース内への臭気物質の揮発を平均で９５％低減することが見出された。クエン酸処理フラッフがヘッドスペース内へのＴＭＡ揮発を着実に阻害する能力は、健康な膣液で見出される１００倍のＴＭＡ濃度である、０．０５重量％までは圧倒的ではなかった。この濃度においてさえ、クエン酸処理フラッフは、未処理フラッフより平均で７１．１％少ないヘッドスペース臭気物質レベルを有した。
【００９１】
【表２】
2021525641.tif 000005
【００９２】
０．０２７％のＴＭＡ溶液では、クエン酸処理フラッフパッドに対する、ヘッドスペースにおけるＴＭＡの平均濃度は０．３３ｐｐｍであった。未処理パルプは、７２ｐｐｍの、ヘッドスペースにおけるＴＭＡの平均濃度を有した。クエン酸処理フラッフは、ヘッドスペースにおけるＴＭＡを９９．５％低減した。
【００９３】
０．０３４％のＴＭＡ溶液では、クエン酸処理フラッフは、読み取り値で５ｐｐｍのヘッドスペースにおけるＴＭＡの平均濃度を有し、未処理パルプは、気体ヘッドスペースにおいて１００ｐｐｍの平均ＴＭＡレベルを有した。Ｓｅｎｓｉｄｙｎｅ（登録商標）管の検出限界が１００ｐｐｍであることに、留意されたい。したがって、気体ヘッドスペースにおける実際の平均ＴＭＡレベルは、１００ｐｐｍより高かった可能性がある。クエン酸処理フラッフは、ヘッドスペースの読み取り値でＴＭＡを少なくとも９５％低減した。
【００９４】
０．０５％の溶液では、クエン酸処理フラッフは、読み取り値で２６．８ｐｐｍのヘッドスペースにおけるＴＭＡの平均濃度を有した。しかしながら、クエン酸処理フラッフの読み取り値は、この濃度で１０〜５１ｐｐｍの範囲であった。対照的に、他の濃度での他の全ての２つの試料点間の最大変動は、７ｐｐｍ（０．０３％での未処理パルプに対する６８ｐｐｍ〜７５ｐｐｍ間）であった。
【００９５】
未処理フラッフ上のヘッドスペースにおけるＴＭＡ濃度は、３つの読み取り値のうちの採用した２つに対して、センサーの最大読み取り値を上回った。正確な濃度を知ることは不可能であるので、これらのデータは１００ｐｐｍのセンサー読み取り値として報告した。センサーがどれだけ素早くその最大値に到達するか、比色分析読み取り値がどれだけ遠く最大値を過ぎて止まったか、および試験器が遭遇した悪臭（ＴＭＡが低濃度では魚肉の悪臭を有するが、高濃度ではアンモニア様の臭気を有する）に基づいて、実際の濃度が最大読み取り値よりどれだけ高いか推定してもよいが、これは単に推定である。これらの観察を、試験記録に記録した。
【００９６】
本開示の目的にとって、例えば、「より上の」、「より下の」、「垂直の」、「水平の」、「内へ」「外へ」、「内の」、「外の」「前部」、「後部」などの用語は、記述的なものであり、特許請求された主題の範囲を制限しないと解釈されるべきであることに留意すべきである。さらに、本明細書で「含む（including）」、「含む（comprising）」、または「有する」およびこれらの変形の使用は、その後に列挙される項目およびそれらの等価物ならびに追加項目を包含する意味である。特に限定されない限り、本明細書における用語「接続された」、「連結された」、および「装着された」およびそれらの変形は、広く使用され、直接的および間接的な接続、連結、および装着を包含する。「約」という用語は、明示された値のプラスまたはマイナス５％を意味する。
【００９７】
本開示の原理、代表的実施形態、および作動形態は、前の説明に記述されている。しかしながら、保護されるよう意図された本開示の態様は、開示された特定の実施形態に限定されると解釈すべきではない。さらに、本明細書で記述される実施形態は、限定的というより、むしろ例示的であると見なすべきである。本開示の趣旨から逸脱することなく、変形および変化を他者が行なってもよく、等価物が用いられることが認識されるであろう。したがって、すべてのこうした変形、変化、および等価物は、請求項に記載される本開示の趣旨および範囲内に含まれることを、明確に意図している。
【００９８】
排他的な特性または特権を主張する本発明の実施形態は、以下のように規定される。
【図１】
2021525641.tif 000006
【手続補正書】
【提出日】令和3年5月25日(2021.5.25)
【手続補正１】
【補正対象書類名】特許請求の範囲
【補正対象項目名】全文
【補正方法】変更
【補正の内容】
【特許請求の範囲】
【請求項１】
遊離トリメチルアミン（「ＴＭＡ」）を低減または封鎖する方法であって、ＴＭＡ分子を、セルロース繊維マトリックスおよびセルロース繊維マトリックスに連結されたカルボン酸を含む吸収性材料と接触させることを含み、遊離ＴＭＡの低減または封鎖は対照との比較である、方法。
【請求項２】
ＴＭＡ分子が液体中または気体中にある、請求項１に記載の方法。
【請求項３】
ＴＭＡ分子が月経液中または食肉流体中にある、請求項２に記載の方法。
【請求項４】
対照が空の対照またはが吸収性材料の対照である、請求項１に記載の方法。
【請求項５】
セルロース繊維マトリックスが、セルロースパルプ構造を含む、請求項１に記載の方法。
【請求項６】
セルロース繊維マトリックスが、セルロース繊維およびセルロースに基づく繊維からなる群から選択される繊維を含み、セルロースに基づく繊維が、ビスコース繊維、モダール繊維、リヨセル繊維、およびそれらの組合せからなる群から選択される、請求項１に記載の方法。
【請求項７】
カルボン酸が、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、請求項１に記載の方法。
【請求項８】
カルボン酸が、クエン酸またはその塩である、請求項１に記載の方法。
【請求項９】
吸収性材料が、約０．０１重量％〜約１０重量％の間のカルボン酸含有量を含む、請求項１から８のいずれか一項に記載の方法。
【請求項１０】
吸収性材料が０．０１重量％のクエン酸を含み、ＴＭＡが約０．０３４重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスが、約０．５Ｌのヘッドスペースにおいて遊離ＴＭＡを少なくとも約９５ｐｐｍ低減または封鎖することができる、請求項１に記載の方法。
【請求項１１】
遊離ＴＭＡの低減または封鎖が、
容器に配置された吸収性材料を、ある量のＴＭＡと接触させること；
容器の気体ヘッドスペースの一部を抜き取ること；
気体ヘッドスペースの抜き取られた一部における遊離ＴＭＡの量を測定すること；および
気体ヘッドスペースにおける遊離ＴＭＡの低減または封鎖を、対照に比較して決定すること
を含むプロセスによって測定される、請求項１０に記載の方法。
【請求項１２】
吸収性材料を含む吸収性物品であって、吸収性材料は繊維マトリックスおよび繊維マトリックスに連結されたカルボン酸を含み、繊維マトリックスはセルロース繊維およびセルロースに基づく繊維からなる群から選択される繊維を含み、かつ、吸収性物品は女性用衛生用品または食肉パッケージングパッドである、吸収性物品。
【請求項１３】
吸収性材料が、カルボン酸に連結された有機シリコーンポリマーバインダーを含まず、かつ、吸収性材料が無機過酸化物を含まない、請求項１２に記載の吸収性物品。
【請求項１４】
セルロースに基づく繊維が、ビスコース繊維、モダール繊維、リヨセル繊維、およびそれらの組合せからなる群から選択される、請求項１２に記載の吸収性物品。
【請求項１５】
流体透過性上面シート、および
流体不透過性裏面シート
をさらに含み、吸収性材料は流体透過性上面シートと流体不透過性裏面シートの間に配置される、請求項１２に記載の吸収性物品。
【請求項１６】
流体透過性上面シート、および
流体不透過性裏面シート
をさらに含み、吸収性材料が流体透過性上面シート内に配置される、請求項１２に記載の吸収性物品。
【請求項１７】
吸収性材料が、吸収性物品の吸収性コアの少なくとも一部を形成する、請求項１２から１６のいずれか一項に記載の吸収性物品。
【請求項１８】
超吸収性ポリマーをさらに含む、請求項１２から１７のいずれか一項に記載の吸収性物品。
【請求項１９】
カルボン酸がポリカルボン酸である、請求項１２から１８のいずれか一項に記載の吸収性物品。
【請求項２０】
ポリカルボン酸が、部分的にまたは完全に中和された塩である、請求項１９に記載の吸収性物品。
【請求項２１】
カルボン酸が、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、請求項１２から１８のいずれか一項に記載の吸収性物品。
【請求項２２】
カルボン酸が、クエン酸またはその塩である、請求項１２から１８のいずれか一項に記載の吸収性物品。
【請求項２３】
吸収性材料が、約０．０１重量％〜約１０重量％の間のカルボン酸含有量を含む、請求項１２から２２のいずれか一項に記載の吸収性物品。
【請求項２４】
吸収性物品が、女性用衛生用品であり、女性用衛生用品が、パンティーライナー、生理用ナプキン、産後吸収性パッド、軽失禁パッド、陰唇間パッド、タンポン、および使い捨て月経保護下着からなる群から選択される、請求項１２から２３のいずれか一項に記載の吸収性物品。
【請求項２５】
女性用衛生用品が外部的に着用されるように構成される、請求項２４に記載の吸収性物品。
【請求項２６】
女性用衛生用品が内部的に着用されるようには構成されない、請求項２４に記載の吸収性物品。
【請求項２７】
吸収性物品が食肉パッケージングパッドであり、かつ、食肉パッケージングパッドが魚肉パッケージングパッドである、請求項１２から２３のいずれか一項に記載の吸収性物品。
【請求項２８】
吸収性材料によって封鎖された遊離ＴＭＡの低減または封鎖を測定する方法であって、
容器に配置された吸収性材料を、任意の量のＴＭＡと接触させること；
容器の気体ヘッドスペースの一部を抜き取ること；
気体ヘッドスペースの抜き取られた一部における遊離ＴＭＡの量を測定すること；および
気体ヘッドスペースにおける遊離ＴＭＡの低減または封鎖を、対照に比較して決定すること
を含む、方法。
【請求項２９】
吸収性材料が、繊維マトリックスおよび繊維マトリックスに連結されたカルボン酸を含む、請求項２８に記載の方法。
【請求項３０】
ヘッドスペースの一部が、遊離ＴＭＡが平衡に到達した後に抜き取られる、請求項２８に記載の方法。
【請求項３１】
対照が空の対照または吸収性材料の対照である、請求項２８に記載の方法。
【請求項３２】
気体ヘッドスペースの抜き取られた一部における遊離ＴＭＡの量を測定することが、
気体ヘッドスペースの抜き取られた一部を、ＴＭＡと接触した時に色を変化させる比色分析マーカーを装填した固定相上を通過させること；および
気体ヘッドスペースの抜き取られた一部が固定相上を通過するのに応じた、固定相における変色の量を測定すること
を含む、請求項２８に記載の方法。
【請求項３３】
吸収性物品を作製する方法であって、
繊維マトリックスおよび繊維マトリックスに連結されたカルボン酸を含む吸収性材料を調製すること；および
流体透過性上面シートおよび流体不透過性裏面シートを吸収性材料に連結すること
を含む、方法。
【請求項３４】
吸収性材料が、流体透過性上面シートと流体不透過性裏面シートの間に配置される、請求項３３に記載の方法。
【請求項３５】
吸収性材料が、流体透過性上面シート内に配置される、請求項３３に記載の方法。
【請求項３６】
吸収性物品が、女性用衛生用品である、請求項３３に記載の方法。
【請求項３７】
女性用衛生用品が、パンティーライナー、生理用ナプキン、産後吸収性パッド、軽失禁パッド、陰唇間パッド、および使い捨て月経保護下着からなる群から選択される、請求項３６に記載の方法。
【請求項３８】
女性用衛生用品が、外部的に着用されるように構成される、請求項３６または３７に記載の方法。
【請求項３９】
女性用衛生用品が、内部的に着用されるようには構成されない、請求項３６から３８のいずれか一項に記載の方法。
【請求項４０】
吸収性物品が、食肉パッケージングパッドである、請求項３３に記載の方法。
【請求項４１】
吸収性物品が、請求項１２から２７のいずれか一項に記載の吸収性物品である、請求項３３に記載の方法。
【手続補正２】
【補正対象書類名】明細書
【補正対象項目名】００９８
【補正方法】変更
【補正の内容】
【００９８】
[発明の態様]
[１]
遊離トリメチルアミン（「ＴＭＡ」）を低減する方法であって、ＴＭＡ分子を、セルロース繊維マトリックスおよびセルロース繊維マトリックスに連結されたカルボン酸を含む吸収性材料と接触させることを含み、遊離ＴＭＡの低減は対照との比較である、方法。
[２]
ＴＭＡ分子が液体中にある、１に記載の方法。
[３]
ＴＭＡ分子が月経液中にある、２に記載の方法。
[４]
ＴＭＡ分子が食肉流体中にある、２に記載の方法。
[５]
ＴＭＡ分子が気体中にある、１に記載の方法。
[６]
対照が空の対照である、１に記載の方法。
[７]
対照が吸収性材料の対照である、１に記載の方法。
[８]
セルロース繊維マトリックスが、セルロースパルプ構造を含む、１に記載の方法。
[９]
セルロース繊維マトリックスが、セルロース繊維およびセルロースに基づく繊維からなる群から選択される繊維を含む、１に記載の方法。
[１０]
セルロースに基づく繊維が、ビスコース繊維、モダール繊維、リヨセル繊維、およびそれらの組合せからなる群から選択される、９に記載の方法。
[１１]
カルボン酸が、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、１に記載の方法。
[１２]
カルボン酸が、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、１に記載の方法。
[１３]
カルボン酸が、クエン酸またはその塩である、１に記載の方法。
[１４]
吸収性材料が、約０．０１重量％〜約１０重量％の間のカルボン酸含有量を含む、１から１３のいずれか一項に記載の方法。
[１５]
吸収性材料が０．０１重量％のクエン酸を含み、ＴＭＡが約０．０３４重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスが、約０．５Ｌのヘッドスペースにおいて遊離ＴＭＡを少なくとも約９５ｐｐｍ低減することができる、１に記載の方法。
[１６]
遊離ＴＭＡの低減が、
容器に配置された吸収性材料を、ある量のＴＭＡと接触させること；
容器の気体ヘッドスペースの一部を抜き取ること；
気体ヘッドスペースの抜き取られた一部における遊離ＴＭＡの量を測定すること；および
気体ヘッドスペースにおける遊離ＴＭＡの低減を、対照に比較して決定すること
を含むプロセスによって測定される、１５に記載の方法。
[１７]
吸収性材料が０．０１重量％のクエン酸を含み、ＴＭＡが約０．０２７重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスが、約０．５Ｌのヘッドスペースにおいて、遊離ＴＭＡを少なくとも約９９％低減することができる、１に記載の方法。
[１８]
吸収性材料が０．０１重量％のクエン酸を含み、ＴＭＡが約０．０５重量％の溶液中に導入され、かつ、対照が、いずれの添加カルボン酸も実質的に含まない南部漂白針葉樹クラフトフラッフパルプからなる同量の吸収性材料である場合、セルロース繊維マトリックスが、約０．５Ｌのヘッドスペースにおいて、遊離ＴＭＡを少なくとも約５０％低減することができる、１に記載の方法。
[１９]
遊離ＴＭＡの低減が、
容器に配置された吸収性材料を、ある量のＴＭＡと接触させること；
容器の気体ヘッドスペースの一部を抜き取ること；
気体ヘッドスペースの抜き取られた一部における遊離ＴＭＡの量を測定すること；および
気体ヘッドスペースにおける遊離ＴＭＡの低減を、対照に比較して決定すること
を含むプロセスによって測定される、１７または１８に記載の方法。
[２０]
ＴＭＡ分子を封鎖する方法であって、ＴＭＡ分子を、セルロース繊維マトリックスおよびセルロース繊維マトリックスに連結されたカルボン酸を含む吸収性材料と接触させることを含む、方法。
[２１]
ＴＭＡ分子が液体中にある、２０に記載の方法。
[２２]
ＴＭＡ分子が月経液中にある、２１に記載の方法。
[２３]
ＴＭＡ分子が食肉流体中にある、２１に記載の方法。
[２４]
ＴＭＡ分子が気体中にある、２０に記載の方法。
[２５]
セルロース繊維マトリックスが、セルロースパルプ構造を含む、２０に記載の方法。
[２６]
セルロース繊維マトリックスが、セルロース繊維およびセルロースに基づく繊維からなる群から選択される繊維を含む、２０に記載の方法。
[２７]
セルロースに基づく繊維が、ビスコース繊維、モダール繊維、リヨセル繊維、およびそれらの組合せからなる群から選択される、２６に記載の方法。
[２８]
カルボン酸が、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、２０に記載の方法。
[２９]
カルボン酸が、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、２０に記載の方法。
[３０]
カルボン酸が、クエン酸またはその塩である、２０に記載の方法。
[３１]
吸収性材料が、約０．０１重量％〜約１０重量％の間のカルボン酸含有量を含む、２０から３０のいずれか一項に記載の方法。
[３２]
吸収性材料が０．４５重量％のクエン酸を含み、かつ、ＴＭＡ分子が約０．０５重量％の溶液中に導入される場合、平衡状態で約０．５Ｌのヘッドスペースが、約５０ｐｐｍ未満の遊離ＴＭＡを含有するように、セルロース繊維マトリックスがＴＭＡ分子を封鎖することができる、２０に記載の方法。
[３３]
吸収性材料が０．４５重量％のクエン酸を含み、かつ、ＴＭＡ分子が約０．０３４重量％の溶液中に導入される場合、平衡状態で約０．５Ｌのヘッドスペースが、約１０ｐｐｍ未満の遊離ＴＭＡを含有するように、セルロース繊維マトリックスがＴＭＡ分子を封鎖することができる、２０に記載の方法。
[３４]
吸収性材料が０．４５重量％のクエン酸を含み、かつ、ＴＭＡ分子が約０．０２７重量％の溶液中に導入される場合、平衡状態で約０．５Ｌのヘッドスペースが、約５ｐｐｍ未満の遊離ＴＭＡを含有するように、セルロース繊維マトリックスがＴＭＡ分子を封鎖することができる、２０に記載の方法。
[３５]
遊離ＴＭＡの量が、
容器に配置された吸収性材料を、溶液中のある量のＴＭＡと接触させること；
容器の気体ヘッドスペースの一部を抜き取ること；および
気体ヘッドスペースの抜き取られた一部における遊離ＴＭＡの量を測定すること
を含むプロセスよって測定される、３２から３４のいずれか一項に記載の方法。
[３６]
吸収性材料を含む吸収性物品であって、吸収性材料は繊維マトリックスおよび繊維マトリックスに連結されたカルボン酸を含み、繊維マトリックスはセルロース繊維およびセルロースに基づく繊維からなる群から選択される繊維を含み、かつ、吸収性物品は女性用衛生用品または食肉パッケージングパッドである、吸収性物品。
[３７]
吸収性材料が、カルボン酸に連結された有機シリコーンポリマーバインダーを含まず、かつ、吸収性材料が無機過酸化物を含まない、３６に記載の吸収性物品。
[３８]
セルロースに基づく繊維が、ビスコース繊維、モダール繊維、リヨセル繊維、およびそれらの組合せからなる群から選択される、３６に記載の吸収性物品。
[３９]
流体透過性上面シート、および
流体不透過性裏面シート
をさらに含み、吸収性材料は流体透過性上面シートと流体不透過性裏面シートの間に配置される、３６に記載の吸収性物品。
[４０]
流体透過性上面シート、および
流体不透過性裏面シート
をさらに含み、吸収性材料が流体透過性上面シート内に配置される、３６に記載の吸収性物品。
[４１]
吸収性材料が、吸収性物品の吸収性コアの少なくとも一部を形成する、３６から４０のいずれか一項に記載の吸収性物品。
[４２]
超吸収性ポリマーをさらに含む、３６から４１のいずれか一項に記載の吸収性物品。
[４３]
カルボン酸がポリカルボン酸である、３６から４２のいずれか一項に記載の吸収性物品。
[４４]
ポリカルボン酸が、部分的にまたは完全に中和された塩である、４３に記載の吸収性物品。
[４５]
カルボン酸が、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、３６から４２のいずれか一項に記載の吸収性物品。
[４６]
カルボン酸が、クエン酸、乳酸、リンゴ酸、酒石酸、サリチル酸、コハク酸、ギ酸、ピルビン酸、プロピオン酸、酪酸、イソ酪酸、グリコール酸、それらの塩、およびそれらの組合せからなる群から選択される、３６から４２のいずれか一項に記載の吸収性物品。
[４７]
カルボン酸が、クエン酸またはその塩である、３６から４２のいずれか一項に記載の吸収性物品。
[４８]
吸収性材料が、約０．０１重量％〜約１０重量％の間のカルボン酸含有量を含む、３６から４７のいずれか一項に記載の吸収性物品。
[４９]
吸収性物品が、女性用衛生用品であり、女性用衛生用品が、パンティーライナー、生理用ナプキン、産後吸収性パッド、軽失禁パッド、陰唇間パッド、タンポン、および使い捨て月経保護下着からなる群から選択される、３６から４８のいずれか一項に記載の吸収性物品。
[５０]
女性用衛生用品が外部的に着用されるように構成される、４９に記載の女性用衛生用品。
[５１]
女性用衛生用品が内部的に着用されるようには構成されない、４９に記載の女性用衛生用品。
[５２]
吸収性物品が食肉パッケージングパッドであり、かつ、食肉パッケージングパッドが魚肉パッケージングパッドである、３６から４８のいずれか一項に記載の吸収性物品。
[５３]
吸収性材料によって封鎖された遊離ＴＭＡの低減を測定する方法であって、
容器に配置された吸収性材料を、任意の量のＴＭＡと接触させること；
容器の気体ヘッドスペースの一部を抜き取ること；
気体ヘッドスペースの抜き取られた一部における遊離ＴＭＡの量を測定すること；および
気体ヘッドスペースにおける遊離ＴＭＡの低減を、対照に比較して決定すること
を含む、方法。
[５４]
吸収性材料が、繊維マトリックスおよび繊維マトリックスに連結されたカルボン酸を含む、５３に記載の方法。
[５５]
ヘッドスペースの一部が、遊離ＴＭＡが平衡に到達した後に抜き取られる、５３に記載の方法。
[５６]
対照が空の対照である、５３に記載の方法。
[５７]
対照が吸収性材料の対照である、５３に記載の方法。
[５８]
気体ヘッドスペースの抜き取られた一部における遊離ＴＭＡの量を測定することが、
気体ヘッドスペースの抜き取られた一部を、ＴＭＡと接触した時に色を変化させる比色分析マーカーを装填した固定相上を通過させること；および
気体ヘッドスペースの抜き取られた一部が固定相上を通過するのに応じた、固定相における変色の量を測定すること
を含む、５３に記載の方法。
[５９]
吸収性物品を作製する方法であって、
繊維マトリックスおよび繊維マトリックスに連結されたカルボン酸を含む吸収性材料を調製すること；および
流体透過性上面シートおよび流体不透過性裏面シートを吸収性材料に連結すること
を含む、方法。
[６０]
吸収性材料が、流体透過性上面シートと流体不透過性裏面シートの間に配置される、５９に記載の方法。
[６１]
吸収性材料が、流体透過性上面シート内に配置される、５９に記載の方法。
[６２]
吸収性物品が、女性用衛生用品である、５９に記載の方法。
[６３]
女性用衛生用品が、パンティーライナー、生理用ナプキン、産後吸収性パッド、軽失禁パッド、陰唇間パッド、および使い捨て月経保護下着からなる群から選択される、６２に記載の方法。
[６４]
女性用衛生用品が、外部的に着用されるように構成される、６２または６３に記載の方法。
[６５]
女性用衛生用品が、内部的に着用されるようには構成されない、６２から６４のいずれか一項に記載の方法。
[６６]
吸収性物品が、食肉パッケージングパッドである、５９に記載の方法。
[６７]
吸収性物品が、３６から５２のいずれか一項に記載の吸収性物品である、５９に記載の方法。
排他的な特性または特権を主張する本発明の実施形態は、以下のように規定される。
【国際調査報告】
2021525641.tif 000007
2021525641.tif 000008
2021525641.tif 000009
2021525641.tif 000010
2021525641.tif 000011
2021525641.tif 000012